(57)【要約】【課題】引っ張りタブ（６）を有するスライダ（５）と、上部ストッパ（４）とを備えているスライドファスナ（１）であって、前記上部ストッパ（４）が、前記引っ張りタブ（６）が適切な固定位置にあるときに前記スライダ（５）の動きを防止してファスナ（１）を閉じた状態に保つ。【解決手段】スライドファスナ（１）は、前記引き具（６）の接触面（３０）に対して作用するように配置された保持部材（２０）を有している。【選択図】図１
2009219872.tif 000002
【特許請求の範囲】
【請求項１】
それぞれの歯（３）を保持している１対のテープ（２）と、上部ストッパ（４）と、引き具（６）を有するスライダ（５）とを備えているスライドファスナ（１）であって、前記スライダ（５）が、該スライダ（５）が前記上部ストッパ（４）に接する当該ファスナ（１）の閉鎖位置まで移動可能であるスライドファスナ（１）であり、
前記上部ストッパ（４）が、前記スライダ（５）を前記閉鎖位置に保持するように構成された少なくとも１つの保持部材（２０）を備えていることを特徴とするスライドファスナ（１）。
【請求項２】
前記少なくとも１つの保持部材（２０）が、前記上部ストッパ（４）と一体に形成されている、請求項１に記載のスライドファスナ。
【請求項３】
前記少なくとも１つの保持部材（２０）が、前記引き具（６）が所定の固定位置へと前記上部ストッパ（４）に納められるときに、前記スライダ（５）のためのストッパ手段として機能するように配置されている、請求項１または２に記載のスライドファスナ。
【請求項４】
前記引き具（６）の前記所定の固定位置が、前記引き具（６）が前記上部ストッパ（４）上に、当該ファスナ（１）に沿った前記スライダ（５）のスライドの方向に実質的に平行に横たわる位置である、請求項３に記載のスライドファスナ。
【請求項５】
前記保持部材（２０）が、前記引き具（６）の接触面（３０）に対してストッパ手段として機能するように構成された表面（３２）を有している、請求項３または４に記載のスライドファスナ。
【請求項６】
前記上部ストッパ（４）が、前記引き具（６）を前記固定位置に保持すべく前記引き具（６）の適切な座または部位（７）とスナップ係合するように構成された少なくとも１つのロック部材（２２、２３）をさらに備えていることを特徴とする、請求項３〜５のいずれか一項に記載のスライドファスナ。
【請求項７】
前記少なくとも１つのロック部材が、前記引き具（６）を前記スライダ（５）へと接続しているリング（７）にスナップ嵌合するように構成された歯付きの部材（２２、２３）として形成されている、請求項６に記載のスライドファスナ。
【請求項８】
前記少なくとも１つの歯付きの部材（２２、２３）が、弾性的に変形可能なステム部（２４）と、ヘッド部（２５）とを備えて形成され、
前記ヘッド部が、前記ステム部（２４）の上部から突き出し、前記引き具（６）の前記リング（７）を収容するための切り下げ凹所（２２）を定めている、請求項７に記載のスライドファスナ。
【請求項９】
前記上部ストッパの前記少なくとも１つの保持部材が、前記上部ストッパ（４）の前壁（２０）として形成され、
前記前壁（２０）が、前記引き具（６）の接触面（３０）に対してストッパ手段として機能するように構成された表面（３２）を有しているベース部（２１）と、前記引き具（６）を固定位置に固定するための２つの弾性変形可能な歯付き部材（２２、２３）とを備えており、
前記部材（２２、２３）が、前記ベース部（２１）から上方に突き出し、前記引き具（６）の前記リング（７）を収容するための切り下げ凹所（２２）をそれぞれ定めている、請求項１〜８のいずれか一項に記載のスライドファスナ。
【請求項１０】
前記上部ストッパ（４）が、前記引き具（６）の対応する穴（４１）に係合するように構成された少なくとも１つのピン（４０）を備えていることを特徴とする、請求項１〜９のいずれか一項に記載のスライドファスナ。
【請求項１１】
前記上部ストッパの前記少なくとも１つの保持部材が、前記スライダの対応するロック部材と協働するように構成され、
前記スライダが前記上部ストッパに達したとき、前記上部ストッパ（４）の前記保持部材が前記スライダ（５）の前記ロック部材に係合することを特徴とする、請求項１に記載のスライドファスナ。
【請求項１２】
液体を通さないファスナ（１）である請求項１〜１１のいずれか一項に記載のスライドファスナ。
【請求項１３】
請求項１〜１２のいずれか一項に記載のファスナを備えているスポーツ用スーツなどの物品。
【請求項１４】
引き具（６）を有するスライダ（５）を備えているスライドファスナ（１）のための上部ストッパ（４）であって、
前記スライダ（５）を前記閉鎖位置に保持するように構成された少なくとも１つの保持部材（２０）を特徴とする上部ストッパ（４）。
【請求項１５】
前記少なくとも１つの保持部材が、当該上部ストッパの壁（２０）として形成され、
当該上部ストッパ（４）は、前記引き具（６）を固定位置に収容するように構成されており、
前記壁（２０）が、前記引き具（６）が前記固定位置へと当該上部ストッパ（４）に納められるときに、前記引き具（６）の接触面（３０）に対してストッパ手段として機能するように構成された表面（３２）を備えている、請求項１４に記載のスライドファスナのための上部ストッパ。
【発明の詳細な説明】
【技術分野】
【０００１】
本発明は、スライドファスナおよびスライドファスナの上部ストッパに関する。本発明は、特には、流体を通さないスライドファスナおよび流体を通さないスライドファスナの上部ストッパに関する。
【背景技術】
【０００２】
スライドファスナは、基本的には、それぞれが歯の列を保持している１対のテープと、上部および下部ストッパと、歯を係合および離脱させることによってファスナを開放および閉鎖するためのスライダとを備えている。引き具（あるいは、引っ張りタブ）が、通常は、リングまたは引き具のリング状の端部によってスライダへと接続され、引き具によってスライダが操作される。
【０００３】
上部および下部ストッパは、スライドファスナの両端に位置し、スライダが上部ストッパに達するとき、スライドファスナが完全に閉じられる。
【０００４】
流体を通さないスライドファスナは、特には、スポーツおよびアウトドア活動用の物品、ダイビングまたはヨット用のスーツ、キャンプ用のテントなどにおいて使用される。このファスナには、例えば水および／または空気などといった液体および／または気体の通過を確実に防止することが求められる。場合によっては、流体を通さないファスナは、内側および外側の間に例えば最大約２ｂａｒにのぼる大きな圧力差が存在しても、流体の通過がないことを保証しなければならない。
【０００５】
流体を通さないスライドファスナは、例えば、防水コーティング層を備えている織物製の芯材で製作された多層構造のテープ、および射出成形による歯で実現される。
【０００６】
スライドファスナのスライダは、さらに詳しくは、上側および下側ブレードと、横フランジと、上側および下側ブレードをつなぐ中央部（ダイアモンドと呼ばれる）とを備えている。公知のスライドファスナ（特には、流体を通さないスライドファスナ）においては、上部ストッパが、実質的にＵ字形の部材である。この部材は、スライダのダイアモンドのための前部開口を定めているレッグ部と、スライドファスナが完全に閉じられたときに前記ダイアモンドを収容するための座とを有している。スライダが完全な閉鎖位置に達したときに前記前部開口を流体が漏れない様相で閉じるために、Ｕ字形の上部ストッパの前記レッグ部の側面に作用するように、スライダの横フランジに適切な形状を与えることが、公知の技法である。
【０００７】
閉じたスライドファスナにおいて流体が通らないように保証するために、使用時に、スライダが所定の位置に保持され、上部ストッパから離れるような移動が阻止されなければならないことを理解することができる。実際、たとえ１０分の数ミリメートルでもスライダが意図せず移動すると、上部ストッパの領域および／または歯の間の領域において、ファスナが流体を通してしまう可能性がある。
【０００８】
一方で、安全上の理由からも、ユーザが常にスライドファスナを迅速に開くことができなくてはならない。そのような必要性は、特には、ダイビング用スーツ、軍用または消防士用のスーツなどといった防水用品のための流体を通さないスライドファスナの分野において痛感される。
【発明の概要】
【発明が解決しようとする課題】
【０００９】
本発明の根底にある技術的課題は、上述のようなスライドファスナについて、スライダがファスナの完全に閉じられた位置から離れることを防止すると同時に、ファスナ自体の迅速かつ容易な開放も可能にする確実かつ安全な閉鎖を提供することにある。
【課題を解決するための手段】
【００１０】
この課題は、本発明に係るスライドファスナによって解決される。スライドファスナは、それぞれの歯を保持している１対のテープと、上部ストッパと、引き具を有するスライダとを備えている。前記スライダが、該スライダが前記上部ストッパに接する当該ファスナの閉鎖位置まで移動可能である。前記上部ストッパが、前記スライダを前記閉鎖位置に保持するように構成された少なくとも１つの保持部材を備えている。
【００１１】
本発明のさらなる態様によれば、前記少なくとも１つの保持部材が、前記上部ストッパと一体に形成されている。
【００１２】
本発明の別の態様によれば、前記保持部材が、前記引き具が所定の固定位置へと前記上部ストッパに納められるときに、前記スライダのためのストッパ手段として機能するように配置されている。好ましくは、前記固定位置は、前記引き具が前記上部ストッパ上に、前記スライダのスライドの方向に実質的に平行に横たわる位置である。
【００１３】
好ましい実施形態においては、保持部材が、前記上部ストッパに一体に形成され、前記引き具が前記固定位置へと前記上部ストッパに納められるときに前記引き具の接触面に対してストッパ手段として機能するように配置された表面を有している。
【００１４】
本発明のさらなる態様によれば、前記上部ストッパが、前記引き具を前記固定位置に保持すべく前記引き具の適切な座または部位とスナップ係合するように構成された少なくとも１つのロック部材をさらに備えている。好ましくは、前記引き具の前記座または部位は、前記引き具を前記スライダへと接続しているリングまたはリング状の部位である。
【００１５】
好ましい実施形態においては、前記少なくとも１つのロック部材が、前記引き具を前記スライダへと接続している前記リングにスナップ嵌合するように構成された弾性変形可能な部材である。好ましくは、このロック部材が、弾性的に変形可能なステム部と、該ステム部の上部から突き出し、前記引き具の前記リングを収容するための切り下げ凹所を定めているヘッド部とを有している。
【００１６】
前記ロック部材は、本発明によれば、引き具が上部ストッパへと固定され、あるいは上部ストッパから外されるときに、スライダのリングとの接触によって生じる弾性変形によって、スライダのリングに係合でき、あるいはスライダのリングを解放できる。好ましくは、ロック部材の前記ヘッド部が、引き具が固定位置へと押し下げられるとき、または固定位置から引き上げられるときに、スライダのリングとの接触による当該部材の変形を可能にするように適切に形作られた表面を有している。そのように形作られた表面のおかげで、以下で実施例の助けを借りてさらに明らかにされるとおり、引き具のリングとの接触によって、ロック部材を引き具のリングを受け入れ、あるいは引き具のリングを自由にするような方法で変形させる方向の力がもたらされる。
【００１７】
特に好ましい実施形態によれば、前記上部ストッパの前記少なくとも１つの保持部材が、該上部ストッパの壁として形成されている。この壁は、前記引き具の接触面に対してストッパ手段として機能するように構成された表面を有しているベース部と、該ベース部から上方に突き出す弾性変形可能な歯付き部材として形成された２つのロック部材とを備えている。２つのロック部材のそれぞれが、前記引き具の前記リングを収容するための切り下げ凹所を定めている。
【００１８】
さらに詳しくは、上部ストッパに一体に形成された壁のベース部が、スライダに面する前面と、引き具の底面に対してストッパ手段として機能して、引き具が固定位置にあるときにスライダを保持するように構成された後面とを有している。
【００１９】
本発明の別の態様によれば、前記上部ストッパが、前記引き具を横方向の動きに対して保持するために、前記引き具の対応する穴に係合するように構成された少なくとも１つのピンを備えている。
【００２０】
本発明のさらなる実施形態においては、前記保持部材が、前記スライダの対応するロック部材と協働するように構成される。例として、上部ストッパが、スライダの前部から突き出すロック部材を受け入れるための適切な座または凹所を有しており、スライダが上部ストッパに達したときに、スライダのロック部材が上部ストッパの前記座または凹所に係合する。これらのさらなる実施形態において、スライダを解放するために、例えば切り離しボタンを押すことによる切り離しシステムを、上部ストッパに設けてもよい。
【００２１】
また、本発明の対象は、それぞれの歯を保持している１対のテープと、引き具を有するスライダとを備えているスライドファスナのための上部ストッパでもある。前記スライダが、前記歯が完全に係合し、該スライダが当該上部ストッパに接する閉鎖位置まで移動可能である。当該上部ストッパが、上述のような少なくとも１つの保持部材を備えることを特徴とする。
【００２２】
特には、本発明は、スライドファスナのための上部ストッパを提供する。前記少なくとも１つの保持部材は、当該上部ストッパの前壁として形成されている。当該上部ストッパは、前記スライダの前記引き具を固定位置に収容するように構成されている。前記前壁は、前記引き具が前記固定位置へと納められるときに、前記引き具の接触面に対してストッパ手段として機能するように構成された表面を備えている。
【００２３】
本発明は、スライダが確実に閉鎖位置に保たれるという利点を有している。ロック部材とスライダ（すなわち、スライダの引き具）との間のスナップ係合によって、迅速かつ簡単な固定／解放の作用がもたらされる。したがって、ファスナのスライダを確実に閉鎖位置に保持して、たとえ過酷な使用のもとでも意図せぬ開放を防止できる一方で、ユーザがいつでも迅速かつ容易にファスナを開くことができる点に注目すべきである。
【００２４】
本発明は、スライダが完全に閉じられた位置からわずかに動くだけで流体の漏れが生じかねない流体を通さないファスナにおいて、特に有用である。したがって、本発明によるスライドファスナが取り付けられたスポーツ衣料などの物品は、使用が容易かつ安全でありながら、流体の通過を確実に阻止する性能を提供する。
【００２５】
本発明によるスライドファスナのさらなる利点および特徴が、以下に提示される詳細な説明および実施例（あくまでも例示の目的であって、本発明を限定するものではない）から、さらに明らかになるであろう。
【図面の簡単な説明】
【００２６】
【図１】本発明の一実施形態によるスライドファスナの上端部の斜視図である。
【図２】図１のファスナの側面図である。
【図３】図１のファスナの側面図であるが、スライダの引き具の位置が異なっている。
【図４】図３の位置にあるファスナの上面図である。
【図５】図４の線Ｖ−Ｖによる断面図である。
【図６】図４のＶＩ−ＶＩ断面図である。
【図７】図５の拡大である。
【発明を実施するための形態】
【００２７】
図１が、歯３が備えられた１対のテープ２と、上部ストッパ４と、引き具６を有するスライダ５とを備えている本発明の好ましい実施形態によるスライドファスナ１の上部を示している。引き具６は、リング７によってスライダ５へと接続されている。
【００２８】
スライダ５が、スライドファスナ１が完全に閉じられ、すなわちすべての歯３が係合してスライダ５が上部ストッパ４に接する閉鎖位置まで、テープ２に平行なスライド方向に移動可能である。この閉鎖位置が、図１に示されている。
【００２９】
テープ２および歯３の詳細は、公知の技術に従うことができ、したがって詳しくは説明しない。例えば、流体を通さないスライドファスナにおいては、テープ２が、両面が適切な防水層によって完全にコートされた織物製の芯材層で製作され、歯３が、テープ２上に射出成形される。流体を通さないスライドファスナにおいては、上部ストッパ４も、テープ２上へと射出成形することが可能である。
【００３０】
スライダ５（図２）は、実質的には、両側に横フランジ１０、１１を有している上側および下側ブレード８、９と、これら上側および下側ブレード８、９を接続しているダイアモンドとを備えている。フランジ１０、１１は、公知の技術に従い、使用時に歯３の適切な接触面に作用して、テープ２の対面する歯を相互に係合させる。スライドファスナ１が完全に閉じられたとき、すなわちスライダ５が図１の位置にあるときに、ダイアモンドを、上部ストッパ４のレッグ部１２の間の座に収容することができる。
【００３１】
引き具６を、図１および２に見られるような通常使用の位置から、図３および４に示されている上部ストッパ４上のロック位置へと納めることができる。このロック位置において、引き具６は、上部ストッパ４上にスライダ５のスライダ方向に実質的に平行に横たわる。
【００３２】
前壁２０が、上部ストッパ４に一体に形成されており、引き具６の底部接触面３０に対してストッパ手段として機能する。壁２０は、図３および４の位置にあるときに引き具６の接触面３０に対してストッパ手段として機能する後面３２（図２）を有している。壁２０は、表面３２の反対側に、スライダに面する前面３１を有しており、有利には、この前面３１とスライダ５との間にすき間の回復のためのギャップが存在している。接触面３０は、わずかに湾曲していてもよく、その場合には、壁２０の後面３２も、それに応じて湾曲する（図４）。
【００３３】
歯付きの２つの部材２２、２３が、壁２０のベース部２１の中央部から上方へと突き出しており、引き具６を図３および４の位置に「ロック」するために、リング７に機械的に係合するように構成されている。これらの部材２２および２３のそれぞれが、ベース２１から上方に突き出している弾性変形可能なステム部と、引き具がロック位置にあるときにリング７を収容するための切り下げ凹所２２を定めているヘッド部とを有している。
【００３４】
図５および７の断面図に見られるように、部材２２、２３のそれぞれは、壁２０のベース部２１から上方に突き出すステム部２４を有している。ステム部２４は、ステム２４の上部から横方向かつ外側へと突き出すヘッド部２５を保持している。ヘッド部２５によって、縁２８へと収束する斜めの表面２６および２７、ならびに前記縁２８の下方かつベース２１とヘッド２５自体との間の切り下げ凹所２２が定められている。
【００３５】
リング７を面２６または２７に対して押し付けることで、歯付きの部材２２および２３のステム部２４が横方向に内側へと曲げられ、リング７が凹所２２に係合し、あるいは反対に、リング７および引き具６がロック位置から解放される。
【００３６】
図示の実施形態においては、上部ストッパ４が、引き具６が前記ロック位置にあるときに、引き具６の対応する穴４１に収容されるピン４０をさらに備えている。このピン４０が、穴４１に収容されて、引き具６を横方向の動きに対して保持する。
【００３７】
この例では、ピン４０が、楕円形かつ円錐台形であり、断面が底部から上部へと減少している。しかしながら、より単純な実施形態においては、ピン４０は円柱形であってもよい。
【００３８】
本発明では、多くの変形例が可能である。例えば、他の実施形態（図示せず）においては、歯付きの部材２２、２３または同等のロック部材が、引き具をスライダへと接続しているリングにではなく、引き具の適切な座（例えば、凹所）に係合できる。当然ながら、そのようなロック部材の位置は、必要に応じ、さらには／あるいは上部ストッパの設計に応じて、様々であってよい。
【００３９】
さらに、引き具６を、例えば引き具をスライダ５に接続するリング部を定める穴を底部に備えて、別の方法で形作ることができる。
【００４０】
保持部材を、壁２０ではなく、上部ストッパ自体との一体成形ではないプラスチックまたは金属部材など、別の方法で実現することも可能である。
【００４１】
さらなる変形例においては、スライダ５が上部ストッパ４に達したときにこのスライダが上部ストッパへと固定されて離れることがないようにするロック部材を備えることができる。ロック部材は、スライダ５が、上部ストッパ４に設けられたもう１つの係合部材と協働するように構成されている。ロック解除システムを上部ストッパに取り入れてもよい。
【００４２】
前記さらなる変形例を参照すると、例えばスライダが、スライダ自体の前部から突き出している第１の結合部材を有している。この第１の結合部材が、スライダが上部ストッパに達したときに、上部ストッパの第２の結合部材または凹所にスナップ嵌合するように構成されている。この第２の結合部材または凹所を、例えば上部ストッパ４の面３１または同等の部位に設けることができる。上部ストッパが、上部ストッパの前記第２の結合部材に関するロック解除ボタンを有しており、このボタンを操作することで、ユーザは、第２の結合部材を切り離し位置へと移動させ、スライダを上部ストッパから自由にすることができる。
【００４３】
再び図面の実施形態を参照すると、本発明は以下のように機能する。
【００４４】
スライドファスナ１を閉じるとき、ユーザが、すべての歯３が互いに係合してスライダ５が上部ストッパ４に到達する図１の位置まで、スライダ５を引き上げる。
【００４５】
ファスナを固定するために、ユーザは、引っ張りタブ６を、図１および２の使用位置から図３および４のロック位置へと下げる。リング７が歯２２、２３（図２）の上面２６に接すると、この表面２６の傾きゆえに、リング７が縁２８を乗り越えることができるまでステム２４が変形し、リング７が切り下げ凹所２２へと達することができる。
【００４６】
リング７は、この切り下げ凹所２２に収容されたとき（図５）、部材２２、２３によって固定される。表面３０および３２の間の接触が、スライダ５が上部ストッパ４から滑って離れることを防止し、すなわちファスナ１を閉じた状態に保って、上部ストッパ４の領域において流体が通過することがないように保証する。引き具６が、ロック位置から外れることがないように、図５および７に見られるようにリング７を固定する部材２２および２３のヘッド部２５の外向きの横突起によって安全に抑止される。これは、ファスナの使用、酷使などに起因する、望まれない離脱を回避するために十分である。ピン４０が、引き具６を正しいロック位置に維持して横方向に動くことがないようにするためのさらなる助けである。
【００４７】
ファスナは、引き具６を持ち上げることによって解放される。引き具６を持ち上げることで、リング７が縁２８に達して、再び図１および２の使用位置へと自由になるまで、リング７によって接触面２７が押されて、部材２２、２３が曲げられる。その後、ユーザは通常どおりにスライドファスナ１を開くことができる。
【００４８】
引き具６が、手作業にて引き具を下げ、あるいは持ち上げることによって、迅速かつ素早い方法で固定および解放されることを理解すべきである。それにもかかわらず、引き具６が固定されたときは、スライダ５が上部ストッパ４に堅固に固定され、ファスナの意図せぬ開放および／または流体の漏れが確実な方法で防止される。
【００４９】
当然ながら、当業者であれば、特定の要件を満足すべく本発明の変更および変形を思い描くことができ、そのような変更および変形はすべて、いかなる場合も以下の特許請求の範囲の保護の範囲に包含される。
【図１】
2009219872.tif 000003
【図２】
2009219872.tif 000004
【図３】
2009219872.tif 000005
【図４】
2009219872.tif 000006
【図５】
2009219872.tif 000007
【図６】
2009219872.tif 000008
【図７】
2009219872.tif 000009
【外国語明細書】
2009219872000001.pdf
2009219872000002.pdf
2009219872000003.pdf
2009219872000004.pdf